(57)【要約】      （修正有）【課題】原稿を読み取って得た入力画像データから、所定の余白幅と対になる位置の余白幅とに所定の乖離が検出された場合、その乖離を少なくする補正ができ、書籍からバラの紙媒体になった画像からでも書籍で実現していた余白に近いレイアウトを作成できるようにする。【解決手段】原稿を読み取って入力画像データを得る入力手段と、該画像データを格納する格納手段と、読み取った画像の画像領域と余白を判断する判断手段と、所定のページ上の余白量を計測する計測手段と、前記計測手段により計測された余白量に所定の補正を適応する補正手段と、補正に用いる情報を格納する格納手段と、該補正を所定のページに適応する制御手段を有する。【選択図】図４
2013106220.tif 000002
【特許請求の範囲】
【請求項１】
原稿を読み取って入力画像データを得る入力手段と、該画像データを格納する格納手段と、読み取った画像の画像領域と余白を判断する判断手段と、所定のページ上の余白量を計測する計測手段と、前記計測手段により計測された余白量に所定の補正を適応する補正手段と、補正に用いる情報を格納する格納手段と、該補正を所定のページに適応する制御手段を有することを特徴とする画像処理装置。
【請求項２】
原稿を読み取って入力画像データを得る入力手段と、該画像データを格納する格納手段と、読み取った画像の画像領域と余白を判断する判断手段と、所定のページ上の余白量を計測する計測手段と、前記計測手段により計測された余白量に所定の補正を適応する補正手段と、補正に用いる情報を格納する格納手段と、該補正を所定のページに適応する制御手段を有することを特徴とする画像処理方法。
【発明の詳細な説明】
【技術分野】
【０００１】
本発明は、画像処理装置に関するものである。
【背景技術】
【０００２】
書籍としての紙媒体は制作側が意図した位置にコンテンツが収まっている。しかし、書籍背表紙を裁断して、バラにした紙媒体を読み取る場合、余白がカットされた状態であるため、そのまま電子化すると、余白のバランスが崩れたまま保存されることになる。
【０００３】
特許文献１に記載された画像処理装置は、具体的には、ユーザ自身が「読み取られた１枚画像」内のオブジェクトの位置を指定することで、所望の再配置を可能にするものである。
【先行技術文献】
【特許文献】
【０００４】
【特許文献１】特開２００８−９２４１９号公報
【発明の概要】
【発明が解決しようとする課題】
【０００５】
しかしながら、特許文献１では、ユーザが各オブジェクトの再配置を各ページに対して実施しなければならないという課題があった。
【０００６】
本発明は、上記の課題を解決するためになされたもので、本発明の目的は、原稿画像を読み取り、該画像を電子情報に変換する画像読み取り装置において、読み取りページ数が複数である場合、読み込んだ全ページから、画像領域最大を持つページを検出する検出手段と、検出された該ページの各余白幅を計測する手段と、該結果を比較し差異の有無を判断する判断手段と、差異ありと判断された場合、所定のページそれぞれの余白レイアウトを生成し、各ページに適応する画像処理装置及び画像処理方法を提供することである。
【課題を解決するための手段】
【０００７】
上記目的を達成する本発明の画像処理装置は以下に示す構成を備える。
【０００８】
原稿を読み取って入力画像データを得る入力手段と、該画像データを格納する格納手段と、読み取った画像の画像領域と余白を判断する判断手段と、所定のページ上の余白量を計測する計測手段と、前記計測手段により計測された余白量に所定の補正を適応する補正手段と、補正に用いる情報を格納する格納手段と、該補正を所定のページに適応する制御手段を有することを特徴とする。
【発明の効果】
【０００９】
本発明によれば、原稿を読み取って得た入力画像データから、所定の余白幅と対になる位置の余白幅とに所定の乖離が検出された場合、その乖離を少なくする補正ができ、書籍からバラの紙媒体になった画像からでも書籍で実現していた余白に近いレイアウトを作成する画像処理装置及び画像処理方法を提供することができる。
【図面の簡単な説明】
【００１０】
【図１】全体図
【図２】裁断後のページ例
【図３】残った余白から平均値を算出したページ例
【図４】フローチャート
【発明を実施するための形態】
【００１１】
次に本発明を実施するための最良の形態について図面を参照して説明する。
【００１２】
＜システム構成の説明＞
〔第１実施形態〕
図１は本発明の実施例に関わる画像形成システムの全体構成である。即ち１００２〜１０２７までの画像形成装置を制御するコントローラとエンジン部１０２８と表示器１０２９とスキャナ部１０３０である。
【００１３】
１００３は画像形成装置のプログラムが格納されているＲＯＭである。ＲＯＭ１００３には印刷制御言語を解析してＰＤＬデータを作成するコマンド解析部１００４、描画処理を行い、ＰＤＬデータから中間データオブジェクトを作成する中間データオブジェクト作成部１００５、レンダリング処理を行い、中間データオブジェクトからレンダリングデータを作成するレンダリングデータ作成部１００６、スキャナデータを解析するスキャナデータ解析部１００７、オブジェクトの属性を判断するオブジェクト属性判断部１００８、描画順の情報を制御する描画順制御部１００９、画像処理の中で特にイメージを処理部するイメージ画像処理部１０１０、画像処理の中で特にグラフィックを処理するグラフィック画像処理部１０１１、ネットワーク制御を行うネットワーク制御部１０１２、表示器とのインタフェースの制御を行う表示器ｉ／ｆ制御部１０１３、スキャナ部１０３０とのインタフェースの制御を行うデバイスｉ／ｆ制御部１０１４がある。
【００１４】
１０１５は画像形成システムのＣＰＵである。
【００１５】
１０１６は画像形成システムで使用するＲＡＭである。ＲＡＭ１０１６にはコマンド解析部１００４によって、印刷制御言語から作成されたＰＤＬデータを格納するＰＤＬデータメモリ１０１７、中間データオブジェクト作成部１００５によって、ＰＤＬデータから作成された中間データオブジェクトを格納する中間データオブジェクトメモリ１０１８、レンダリングデータ作成部１００６によって、中間オブジェクトから作成されたレンダリングデータを格納するレンダリングデータメモリ１０１９、スキャナデータを解析する時に使用するスキャナデータ解析メモリ１０２０、オブジェクト属性判断部１００８及び描画順制御部１００９で処理する時に使用するオブジェクト属性判断／描画順制御用メモリ１０２１、イメージ画像処理部１０１０で処理する時に使用するイメージ画像処理用メモリ１０２２、グラフィック画像処理部１０１１で処理する時に使用するグラフィック画像処理用メモリ１０２３、表示器に表示する時に使用する表示用メモリ１０２４がある。
【００１６】
１０２５はエンジン部１０２８にレンダリングデータを転送するエンジン転送部である。
【００１７】
１０２６は表示器１０２９に表示器に表示する情報を転送する表示器ｉ／ｆ部である。
【００１８】
１０２７はスキャナ部１０３０との通信を行うデバイスｉ／ｆ部である。
【００１９】
１０２８はエンジン部である。１０２９は表示器である。１０３０はスキャナ部である。１０３１はＨＤＤである。
【００２０】
次に、本実施形態を示す画像処理装置における画像処理の概要処理について図４を参照して説明する。
【００２１】
図４は、本実施形態を示す画像処理装置における第１のデータ処理手順の一例を示すフローチャートである。本例は、図１に示したスキャナ部１０３０によるスキャン原稿の読み込み処理例である。
【００２２】
まず、Ｓ０で、入力画像となる原稿（図２参照）をスキャナ部１０３０を介して読み込む。なお、原稿は、ＡＤＦ、あるいはＲＤＦ等から自動給紙されてスキャンされるものであっても、プラテンガラスにユーザにより載置されてスキャンされるものであってもよい。
【００２３】
次に、Ｓ１にて全ページの読み取りを終了する。
【００２４】
Ｓ２にて読み込んだ原稿枚数が複数であるかを判断する。１枚で読込終了した場合は処理を終了する。２枚以上の場合はＳ３に進む。
【００２５】
Ｓ３にて格納されたページ順の偶数ページ群から、最大画像領域を持つページａを検出する。
【００２６】
Ｓ４にて格納されたページ順の奇数ページ群から、最大画像領域を持つページｂを検出する。
【００２７】
Ｓ５にてページａとページｂの余白ｍとｎ（図２参照）の各幅情報を検出する。
【００２８】
Ｓ６にてページａとページｂの余白の各幅情報から表１に示す条件に沿って判定する。
【００２９】
Ｓ７にて差異がなければ処理を終了する。ケース２はＳ８に進む。
【００３０】
Ｓ８にて（ｍ＋ｎ）／２で算出した数値をｍ´，ｎ´とする余白値に設定する。
【００３１】
Ｓ９にて、Ｓ８で設定した余白値ｍ´，ｎ´を各ページに適応する。図３参照。
【００３２】
表１  残った余白の平均を適用する場合
【００３３】
【表１】
2013106220.tif 000003
本発明は上記実施形態に限定されるものではなく、本発明の趣旨に基づき種々の変形（各実施形態の有機的な組合せを含む）が可能であり、それらを本発明の範囲から排除するものではない。
【００３４】
本発明の様々な例と実施形態を示して説明したが、当業者であれば、本発明の趣旨と範囲は、本明細書内の特定の説明に限定されるのではない。
【符号の説明】
【００３５】
１００２〜１０２７  コントローラ
１０２８  エンジン部
１０２９  表示器
１０３０  スキャナ部
【図１】
2013106220.tif 000004
【図２】
2013106220.tif 000005
【図３】
2013106220.tif 000006
【図４】
2013106220.tif 000007